(57)【要約】【課題】  利用者の満足度をより向上させることができる環境制御システムを提供する。【解決手段】  制御部２は、行動−環境データベース６に含まれる環境パターンとなるよう環境調整部１を制御することにより、各環境パターンの満足度を抽出し、各環境パターンにおける各種の機器の消費電力を抽出する。表示部８は、各環境パターンごとに満足度と消費電力とを対応づけて表示する。【選択図】      図１
2014182583.tif 000002
【特許請求の範囲】
【請求項１】
室内に設置された各種の機器を制御する環境制御システムであって、
利用者の動作を抽出する動作抽出手段と、
前記動作抽出手段により抽出された動作に基づいて利用者の行動シーンを判断するシーン判断手段と、
前記行動シーンに対応して、標準的な第１環境パターンを記憶する第１記憶手段と、
前記シーン判断手段により判断された行動シーンに対応する第１環境パターンとなるよう前記各種の機器を制御する環境調整手段と、
前記環境調整手段により前記各種の機器が制御された結果に対する満足度を抽出する満足度抽出手段と、
前記環境調整手段により前記各種の機器が制御された結果、前記各種の機器の消費電力を抽出する電力抽出手段と、
前記第１環境パターンに含まれる環境パターンについて、前記満足度抽出手段により抽出された満足度と前記各種の機器の消費電力とを対応づけて表示する表示手段と、
前記表示手段により表示された前記第１環境パターンに含まれる環境パターンを選択する選択手段とを備え、
前記環境調整手段は、前記第１環境パターンに含まれる環境パターンとなるよう前記各種の機器を制御することにより、前記満足度抽出手段は、前記各環境パターンの満足度を抽出し、前記電力抽出手段は、前記各環境パターンにおける各種の機器の消費電力を抽出し、前記表示手段は、前記各環境パターンごとに前記満足度と前記消費電力とを対応づけて表示すること
を特徴とする環境制御システム。
【請求項２】
前記利用者の年齢、性別、人種、眼病、冷え症のうち少なくとも１つの属性情報を入力する属性入力手段と、
前記属性情報に対応づけられた第２環境パターンを記憶する第２記憶手段とを備え、
前記環境調整手段は、前記第１環境パターンを、前記属性入力手段により入力された属性情報に対応した前記第２環境パターンによって修正して、当該修正された第１環境パターンとなるよう前記各種の機器を制御すること
を特徴とする請求項１に記載の環境制御システム。
【発明の詳細な説明】
【技術分野】
【０００１】
本発明は、室内環境を調節する環境制御システムに関する。
【背景技術】
【０００２】
環境の快適性を制御する技術としては、下記の特許文献１が知られている。特許文献１に記載されている環境調整制御装置は、端末の操作によって環境制御要求コマンドを取得し、調整する環境の指標を示す環境データを取得する。そして、環境データに基づいて、環境を改善させるよう環境制御データを決定して環境調整装置に供給し、時間経過に伴って環境調整装置が省エネルギ運転となるように環境制御データを変化させる。
【先行技術文献】
【特許文献】
【０００３】
【特許文献１】特開２０１２−０３８５１４号公報
【発明の概要】
【発明が解決しようとする課題】
【０００４】
しかしながら、特許文献１においては、利用者の操作に応じて所望の環境となるようにしているので、実際に利用者が環境に満足するかは考慮されていない。
【０００５】
そこで、本発明は、上述した実情に鑑みて提案されたものであり、利用者の満足度をより向上させることができる環境制御システムを提供することを目的とする。
【課題を解決するための手段】
【０００６】
本発明の第１の態様に係る環境制御システムは、室内に設置された各種の機器を制御する環境制御システムであって、利用者の動作を抽出する動作抽出手段と、前記動作抽出手段により抽出された動作に基づいて利用者の行動シーンを判断するシーン判断手段と、前記行動シーンに対応して、標準的な第１環境パターンを記憶する第１記憶手段と、前記行動シーン判断手段により判断された行動シーンに対応する第１環境パターンとなるよう前記各種の機器を制御する環境調整手段と、前記環境調整手段により前記各種の機器が制御された結果に対する満足度を抽出する満足度抽出手段と、前記環境調整手段により前記各種の機器が制御された結果、前記各種の機器の消費電力を抽出する電力抽出手段と、前記第１環境パターンに含まれる環境パターンについて、前記満足度抽出手段により抽出された前記満足度と前記各種の機器の消費電力とを対応づけて表示する表示手段と、前記表示手段により表示された前記第１環境パターンに含まれる環境パターンを選択する選択手段とを備え、前記環境調整手段は、前記第１環境パターンに含まれる環境パターンとなるよう前記各種の機器を制御することにより、前記満足度抽出手段は、前記各環境パターンの満足度を抽出し、前記電力抽出手段は、前記各環境パターンにおける各種の機器の消費電力を抽出し、前記表示手段は、前記各環境パターンごとに前記満足度と前記消費電力とを対応づけて表示することを特徴とする。
【０００７】
本発明の第２の態様に係る環境制御システムは、前記利用者の年齢、性別、人種、眼病、冷え症のうち少なくとも１つの属性情報を入力する属性入力手段と、前記属性情報に対応づけられた第２環境パターンを記憶する第２記憶手段とを備え、前記環境調整手段は、前記第１環境パターンを、前記属性入力手段により入力された属性情報に対応した前記第２環境パターンによって修正して、当該修正された第１環境パターンとなるよう前記各種の機器を制御することを特徴とする。
【発明の効果】
【０００８】
本発明によれば、行動シーンに応じた第１環境パターンに含まれる環境パターンの満足度及び消費電力を表示して選択できるので、利用者の満足度をより向上させることができる。
【図面の簡単な説明】
【０００９】
【図１】本発明の実施形態として示す環境制御システムの構成を示すブロック図である。
【図２】本発明の実施形態として示す環境制御システムにおいて、（Ａ）は環境抽出部の構成を示すブロック図、（Ｂ）は環境調整部の構成を示すブロック図、（Ｃ）は環境調整部の他の構成を示すブロック図である。
【図３】本発明の実施形態として示す照明制御システムにおけるカメラの構成を示すブロック図である。
【図４】本発明の実施形態として示す環境制御システムにおける行動−環境データベースを示す図である。
【図５】本発明の実施形態として示す環境制御システムにおける属性−環境データベースを示す図である。
【図６】体感温度と照明の色との関係を示す図である。
【図７】本発明の実施形態として示す環境制御システムにおいて、（ａ）は色温度が高い室内環境を示し、（ｂ）は色温度が低い室内環境を示す。
【図８】調整可能な環境情報と標準的な第１環境パターンとの関係を示す図である。
【図９】標準的な第１環境パターン内における各環境パターンの満足度を示す図である。
【図１０】本発明の実施形態として示す環境制御システムにおいて、各環境パターンの満足度と消費電力とを表示する一例を示す図である。
【図１１】本発明の実施形態として示す環境制御システムにおいて、各環境パターンの満足度と消費電力とを表示する一例を示す図である。
【図１２】本発明の実施形態として示す環境制御システムの動作手順を示すフローチャートである。
【発明を実施するための形態】
【００１０】
以下、本発明の実施の形態について図面を参照して説明する。
【００１１】
本発明の実施形態として示す環境制御システムは、例えば図１に示すように構成される。この環境制御システムは、環境調整部１、制御部２、操作部３、動きセンサ４、環境抽出部５、行動−環境データベース６、属性−環境データベース７、及び、表示部８を含む。
【００１２】
環境調整部１は、室内環境を変更できる各種の機器である。環境調整部１は、本実施形態において複数種類の機器で構成されていることが望ましい。環境調整部１は、制御部２から供給された制御信号に応じて動作する。
【００１３】
環境抽出部５は、室内環境を決める各種の環境状態を抽出する。環境抽出部５は、環境調整部１が複数種類の機器で構成されることに対応して、複数種類のセンサで構成されていることが望ましい。環境抽出部５は、自身によって検出したセンサ信号を制御部２に供給する。
【００１４】
環境調整部１及び環境抽出部５は、室内環境の空気質、あかりを抽出して、調整する。環境調整部１及び環境抽出部５は、例えば図２に示すように構成されている。
【００１５】
環境抽出部５は、図２（Ａ）に示すように、室温抽出部５ａ、湿度抽出部５ｂ、照度抽出部５ｃ、色度抽出部５ｄ、風量抽出部５ｅ、臭い抽出部５ｆ、配光抽出部５ｇ、及び、音抽出部５ｈを含む。
【００１６】
室温抽出部５ａ、湿度抽出部５ｂは、空調装置に設けられた温度センサや湿度センサにより構成される。照度抽出部５ｃ、色度抽出部５ｄ、配光抽出部５ｇは、照明装置や、室内の各所に設けられた光センサにより構成される。臭い抽出部５ｆは、空調装置に設けられた臭いセンサにより構成される。
【００１７】
環境調整部１は、例えば図２（Ｂ）に示すように構成されていてもよい。図２（Ｂ）の環境調整部１は、室温調節部１ａ、湿度調節部１ｂ、照度調節部１ｃ、色度調節部１ｄ、風量調節部１ｅ、臭い調節部１ｆ、及び、配光調節部１ｇを有している。
【００１８】
室温調節部１ａ、湿度調節部１ｂ、風量調節部１ｅは、空調装置により構成される。なお、空調装置としては、エアーコンディショナー、空気清浄機、除加湿器などが含まれる。照度調節部１ｃ、色度調節部１ｄ、配光調節部１ｇは、照明装置や遮光装置により構成される。照明装置としては、直接光、間接光、スポット光が照射可能な各種の器具が含まれる。また、遮光装置としては電動カーテンや電動ブラインドといった器具が含まれる。臭い調節部１ｆは、室内の臭いを調整する空気清浄機や換気装置が含まれる。
【００１９】
図５（Ｃ）に示すように環境調整部１を構成してもよい。この環境調整部１は、図５（Ｂ）の環境調整部１に加え、スピーカ等の音調整部１ｈを含む。これに対応して、図５（Ａ）の環境抽出部５は、マイク等の音抽出部５ｈを含む。
【００２０】
環境調整部１は、制御部２からの制御信号によって動作する。環境調整部１により調整する環境は、室温、湿度、照度、色度、風量、臭い、配光、及び、音の少なくとも一つである。
【００２１】
制御部２は、ＣＰＵ等のプログラムに応じて所定の処理を行うマイクロコンピュータによって構成される。制御部２は、操作部３に対する操作、利用者の動作に応じて環境調整部１を制御して、室内環境を制御する。このとき、制御部２は、行動−環境データベース６に記憶された動作に対応した環境パターン（第１環境パターン）、属性−環境データベース７に記憶された利用者の行動シーンに対応した環境パターン（第２環境パターン）を参照する。
【００２２】
さらに、制御部２は、環境制御部２ａ、シーン判断部２ｂ、満足度判断部２ｃ、電力抽出部２ｄを含む。これらの環境制御部２ａ、シーン判断部２ｂ、満足度判断部２ｃ、電力抽出部２ｄは、ＣＰＵがプログラムを実行することによって実現される。
【００２３】
表示部８は、室内の壁やテレビといったように、ユーザに各種の情報を提示するディスプレイである。表示部８は、制御部２の制御に従って各種の情報を表示する。特に、表示部８は、各第１環境パターンごとに、利用者の満足度と各種の機器としての環境調整部１の消費電力とを対応づけて表示する（表示手段）。
【００２４】
操作部３は、例えば環境調整部１が設置された室内空間の壁面から露呈したスイッチ群である。操作部３のスイッチ群は、例えば、利用者の属性情報を入力するときに操作される（属性入力手段）。この属性情報としては、利用者の年齢、性別、人種、眼病、冷え症のうち少なくとも１つを含んでいればよい。また、操作部３は、環境制御システムの各種の環境パターン設定、環境調整部１のオンオフ等のスイッチを含んでいてもよいことは勿論である。特に、操作部３は、表示部８に表示された複数の環境パターンから何れかの環境パターンを選択するときに操作される（選択手段）。
【００２５】
動きセンサ４は、環境調整部１が設置された利用者の動きを検出する。動きセンサ４によって検出された動きは、制御部２によって取得される。動きセンサ４は、例えば図３に示すようなカメラ４１であってもよい。このカメラ４１は、例えば図３に示すように、垂直方向の検知範囲が４５度、利用者の動きを検知できる距離が５ｍ程度のものが使用可能である。また、動きセンサ４としては、サーモビュアや、人感センサ、利用者の声を検出するマイクを含んでいてもよい。
【００２６】
制御部２は、動きセンサ４の出力に応じて、利用者の動作を抽出する（動作抽出手段）。この動作としては、利用者が座っている状態、利用者の視線の状態、利用者自身や利用者周囲の音声等が含まれる。制御部２は、抽出された利用者の動作に基づいて利用者の行動シーンを判断する（シーン判断手段）。制御部２は、行動シーンとして、例えば、勉強シーン、だんらんシーン、映像観賞シーン、くつろぎシーン、作業シーンの何れか一つを判断する。例えば、利用者のため息のような音声が検出され、カメラ４１によって利用者が座っていて動作が少ない場合には、制御部２は、現在の行動シーンがくつろぎシーンであると判断する。また、音声、利用者の動作、利用者の視線に応じて、制御部２は、勉強シーン、だんらんシーン、映画鑑賞シーン、作業シーンを判断できる。
【００２７】
なお、制御部２は、動きセンサ４を構成するカメラ４１やマイク等の出力に応じて、利用者の属性を入力してもよい（属性入力手段）。制御部２は、映像や音声に応じて年齢、性別、人種を判断する。
【００２８】
行動−環境データベース（第１記憶手段）６は、制御部２によって判断された行動シーンと、行動シーンに対応づけられた第１環境パターンとを記憶している。この第１配光パターンは、行動シーンで特定される利用者の満足度を高くするような標準的な環境パターンとして予め登録されている。例えば、図４に示すような行動シーンごとに、空気質、あかりに関する環境状態が行動−環境データベース６に記憶されている。図４の例では、環境調整部１の各部１ａ〜１ｇ、環境抽出部５の各部５ａ〜５ｇに対応して、環境情報が記憶されている。例えば、行動シーンとして勉強の行動シーンが判断された場合、制御部２は、勉強に対応した第１環境パターンを取り出す。制御部２は、取り出した第１環境パターンに従って、環境調整部１における各部１ａ〜１ｈを制御し、空気質、あかりを調整する（環境調整手段）。
【００２９】
例えば、利用者の活動量が高い場合、又は、利用者の発熱を伴う動作に移行する可能性が高い場合には、制御部２は、作業シーンと判断する。制御部２は、作業シーンに対応した第１環境パターンを行動−環境データベース６から読み出す。これにより、制御部２は、室温を下げる、若しくは、体感温度の低くなる最適な環境情報を行動−環境データベース６から抽出する。
【００３０】
さらに、制御部２は、机の前に座り続けているなどの行為を行っている場合は勉強シーンと判断する。制御部２は、勉強シーンに対応した第１環境パターンを行動−環境データベース６から読み出す。これにより、制御部２は、机上を高照度で照らすと同時に、勉強に最適な体感温度になるような室温、湿度、風量、臭いが最適な環境情報を行動−環境データベース６から抽出する。
【００３１】
属性−環境データベース（第２記憶手段）７は、制御部２によって入力した属性情報と、当該属性情報に対応した第２環境パターンとを記憶している。この第２環境パターンは、属性情報で特定される利用者の満足度を高くするような環境調整部１を制御するパターンとして予め登録されている。例えば、図５に示すように、属性情報としての１０代〜７０代の年齢ごとに、環境調整部１の各部１ａ〜１ｇ、環境抽出部５の各部５ａ〜５ｇに対応して、最適な環境情報が記憶されている。この属性に応じた最適な環境情報は室温、湿度、風量、臭い、照度、色度、配光のうち少なくとも１つ以上の情報を含む。例えば、属性情報として２０代の年齢が入力された場合、制御部２は、２０代に対応した第２環境パターンを取り出す。制御部２は、取り出した第２環境パターンに従って、環境調整部１を制御する（環境調整手段）。これにより、制御部２は、２０代といった属性情報に適するように環境調整部１の制御を行って、利用者の満足度を向上させる。
【００３２】
制御部２は、例えば操作部３によって、例えば２０代の年齢の属性入力が行われる。これに応じ、制御部２は、属性−環境データベース７から、２０代に対応づけられた空気質とあかりの最適な環境情報を抽出する。例えば、高齢者である場合、明るさが低いと不快感を示す傾向が強い。このため、全ての行動シーンにおいて照度を高めに設定する。すなわち、制御部２は、第１環境パターンを、入力された属性情報に対応した第２環境パターンによって修正する。そして、制御部２は、当該修正された第１環境パターンとなるよう環境調整部１を制御する。
【００３３】
なお、利用者の属性としては、年齢だけでなく、性別、人種、眼病、冷え症などが含まれる。これらの属性に対応して、属性−環境データベース７には、最適な環境情報が登録される。これにより、制御部２は、年齢、性別、人種、眼病、冷え症といった属性情報が入力されるごとに、環境調整部１を制御して、第１環境パターンを修正できる。
【００３４】
制御部２は、行動シーンによって制御された第１環境パターンを、第２環境パターンに基づいて修正する。これにより、制御部２は、行動シーンのみならず、利用者の属性に適するように環境調整部１の制御を行って、当該属性の利用者の満足度を向上させる。なお、図４，図５に示した○、△といった空気質、あかりの最適な環境情報は、空気質の調整度合い、あかりの調整度合いであってもよい。
【００３５】
制御部２は、第１環境パターン及び第２環境パターンによる環境調整部１の制御後、環境調整部１が制御された結果に対する満足度を抽出する（満足度抽出手段）。制御部２は、例えば、カメラ４１によって利用者の表情を表すパラメータ抽出を行う。制御部２は、満足度と口角の緩み度合いといった表情パラメータとの関係式等を用いて、利用者の満足度を算出する。これにより、制御部２は、例えば０％〜１００％で表現されるくつろぎ満足度を得ることができる。また、制御部２は、満足度を、表情パラメータから抽出した心理状態から算出してもよい。さらに、制御部２は、満足度として、利用者の脳波、心拍、動作、発汗、体温、体臭等を検出してもよい。
【００３６】
つぎに、上述した環境制御システムにおいて、行動−環境データベース６及び属性−環境データベース７に含まれる変数としての空気質、あかり、音と、利用者の体感温度の関係を説明する。なお、利用者の体感温度は、利用者によってどの体感温度の満足度が高いか任意である。しかし、環境調整部１を制御して、利用者の体感温度を変更することにより、利用者の満足度を良好とすることができる。
【００３７】
空気質を変更することにより、体感温度を上昇又は下降させることができる。例えば、室温が高いほど体感温度も上昇する。また、湿度が高いほど体感温度は上昇する。さらに、風量は大きいほど体感温度は下降する。逆に、室温が低いほど体感温度も下降する。また、湿度が低いほど体感温度は下降する。さらに、風量は小さいほど体感温度は上昇する。さらに、ミント系の香りは体感温度は下降させる効果がある。
【００３８】
また、あかりを変更することにより、体感温度を上昇又は下降させることができる。例えば、照度が高いほど体感温度も上昇する。また、視野に入るあかりの量が多いほど体感温度も上昇する。さらに、暖色のあかりは体感温度を上昇させる。逆に、照度が低いほど体感温度も下降する。また、視野に入るあかりの量が少ないほど体感温度も下降する。さらに、青色、白色のあかりは体感温度を下降させる。
【００３９】
一例として、図６に示したように、あかりが暖色、白色、ブルーとなるほど、体感温度が低下することが分かっている。青色光を利用すると、心理的にもすっきりする効果はあるが体感温度が低下する。同じ体感温度で青色光のすっきり感を得るためには、空気質や音を変更して体感温度を上昇させるよう環境調整部１を制御して、環境変化を行う必要がある。
【００４０】
例えば図７（ａ）に示すように、青色又は白色の光Ｌ１を照射しており、室温が低い１５度であると、寒く感じる。しかし、図７（ｂ）のように、青色又は白色の光Ｌ１を、暖色系の光Ｌ２に変更する。これにより、利用者は、暖色系の光Ｌ２によって体感温度を上昇させることができる。このように暖色光を使用することで室温が比較的低くても、快適な環境に変更できる。さらに、消費電力を意識して室温を上げたくない場合には、暖色系の光Ｌ２に変更できる。
【００４１】
さらに、音を変更することにより、体感温度を上昇又は下降させることができる。例えば、日本人の場合、風鈴音は体感温度を下降させることができる。
【００４２】
つぎに、上述した環境制御システムにおいて、表示部８における環境パターンごとに利用者の満足度と環境調整部１の消費電力とを表示する表示内容について説明する。
【００４３】
図８は、調整可能な変数としての環境情報と、第１環境パターンとの関係を表している。制御部２は、行動−環境データベース６及び属性−環境データベース７から、行動シーン、属性に応じた満足度の比較的高い標準的な第１環境パターン１００を抽出する。制御部２は、当該環境パターンに含まれる各環境情報に従って環境調整部１を動作させる。そして、制御部２は、利用者の満足度を抽出する。例えば行動シーンが勉強であり、属性が３０代の男性の場合、図８に示すように、比較的満足度の高い、標準的な第１環境パターン１００が得られる。この第１環境パターン１００は、照度及び色度が高い室内環境が、勉強をしている３０代の男性にとって満足度が高いことを表している。
【００４４】
制御部２は、さらに高い満足度を得るために、第１環境パターン１００内において環境パターンを徐々に複数回に亘り変化させて、環境調整部１を制御する。制御部２は、環境パターンを変化させる毎に、環境パターンについて満足度及び環境調整部１の消費電力を抽出する（消費電力抽出手段）。これにより、制御部２は、行動シーンと属性とでは特定できない最も満足度の高い環境パターン１０１を取得できる。さらに、制御部２は、当該環境パターンにおける環境調整部１の消費電力を取得できる。
【００４５】
例えば、図９に示すように、第１環境パターン１００内において、室温、湿度、照度、色度、風量、臭い、配光、及び、音を調整して、各環境パターンごとに満足度を得ることができる。すなわち、勉強シーンにおいて３０代の男性が満足する標準的な環境パターン１００に対し、さらに、室温、湿度、照度、色度、風量、臭い、配光、及び、音を調整して、満足度を得ることができる。
【００４６】
図９は、各○が、標準的な環境パターン１００に対して調整された各環境パターンに相当する。図９において、満足度が高い環境パターン１０１を、Ｈ１で表している。Ｈ２は、Ｈ１の環境パターン１０１に次いで満足度が高い環境パターンである。Ｍは、Ｈ２の環境パターンに次いで満足度が高い環境パターンである。Ｌは、Ｍの環境パターンに次いで満足度が高い環境パターンである。Ｈ２、Ｍ、Ｌの環境パターンは、Ｈ１の環境パターン１０１に対して室温、湿度、照度、色度、風量、臭い、配光、及び、音を調整した環境パターンとし、満足度を得た結果である。
【００４７】
制御部２は、図９に示した各環境パターンについて、室温、湿度、照度、色度、風量、臭い、配光、及び、音を調整した時の環境調整部１の消費電力を取得する。これにより、制御部２は、標準的な環境パターン１００に含まれる各環境パターンについて環境調整部１の消費電力を取得できる。
【００４８】
制御部２は、標準的な環境パターン１００に含まれる各環境パターンについて満足度及び環境調整部１の消費電力を取得すると、図１０又は図１１に示すような表示を行わせる表示データを作成する。この表示データは、表示部８に供給される。
【００４９】
図１０は、満足度が高いほど高さが高くなるような立体画像１１０を示している。この立体画像１１０は、満足度が同一の範囲を等高線で区分している。この立体画像１１０には、３つの満足度が高い高満足度領域１１１、１１２、１１３が含まれている。高満足度領域１１１は、図９のＨ１の環境パターンを表している。高満足度領域１１２、１１３は、図９のＨ２の環境パターンを表している。さらに、立体画像１１０には、Ｈ１の環境パターンとしたときの環境調整部１の消費電力として８．０ｋｗ／ｈを高満足度領域１１１に並記されている。同様に、高満足度領域１１２には、環境調整部１の消費電力として６．０ｋｗ／ｈが並記されている。同様に、高満足度領域１１３には、環境調整部１の消費電力として７．０ｋｗ／ｈが並記されている。
【００５０】
他の表示例としての図１１は、図１０の立体画像１１０とは奥行き方向の傾斜が異なる立体画像１１０を示している。
【００５１】
ここで、利用者の行動シーンと属性とによって環境パターンを調整しても、利用者にとって満足度が高い環境パターンは、図９のＨ１の環境パターンのように、極大値となって複数抽出される場合がある。制御部２は、各環境パターンごとに環境調整部１の消費電力を取得し、図１０や図１１のような立体画像１１０を表示する。これにより、利用者は、操作部３を操作して、表示部８により表示された環境パターンのうち何れかの環境パターンを選択できる。また、満足度が高い環境パターンを選択して当該環境を再現し、当該環境パターンを体感した上で環境を選択できる。
【００５２】
つぎに、上述したような環境制御システムにおける動作手順について、図９を参照して説明する。
【００５３】
先ずステップＳ１において、制御部２は、動きセンサ４からの信号に応じて、利用者の動きを抽出する。次のステップＳ２において、制御部２は、ステップＳ１にて抽出された動きから、利用者の行動シーンを判断する（シーン判断手段）。これにより、制御部２は、行動−環境データベース６から、行動シーンに対応した標準的な第１環境パターンを得ることができる。
【００５４】
次のステップＳ３において、制御部２は、操作部３の入力操作等によって利用者の属性情報を入力する。制御部２は、入力した属性情報に対応した第２環境パターンを属性−環境データベース７から取り出す。
【００５５】
次のステップＳ４において、制御部２は、環境調整部１を制御して、室内環境を調整する。このとき、制御部２は、第１環境パターンを第２環境パターンによって修正する。そして、制御部２は、環境抽出部５からの信号によって現在の室内環境を抽出し、当該現在の室内環境を第１環境パターンの環境情報となるよう環境調整部１を動作させる（環境調整手段）。
【００５６】
次のステップＳ５において、制御部２は、環境抽出部５から信号によって現在の室内環境を抽出する。
【００５７】
次のステップＳ６において、制御部２は、環境調整部１の消費電力を抽出する（消費電力抽出手段）。
【００５８】
次のステップＳ７において、制御部２は、ステップＳ４の後の利用者の満足度を抽出する。このとき、制御部２は、動きセンサ４に含まれるカメラ４１等の画像データを利用して、利用者の表情パラメータ、脳波、体温、心拍変動、体臭、体動等に基づいて利用者の満足度を抽出する。
【００５９】
次のステップＳ８において、制御部２は、ステップＳ５の環境、ステップＳ６の消費電力、ステップＳ７の満足度の抽出回数が所定値に達したか否かを判定する。この所定値は、標準的な第１環境パターン内で、さらに満足度が高い環境パターンを得ることができればよい。抽出回数が所定値に達していない場合、ステップＳ４に処理を戻す。これにより、制御部２は、標準的な第１環境パターン内で室温、湿度、照度、色度、風量、臭い、配光、及び、音を調整して、ステップＳ５〜ステップＳ７の処理を繰り返す。抽出回数が所定値に達したと判定した場合には、ステップＳ９に処理を進める。
【００６０】
ステップＳ９において、制御部２は、標準的な第１環境パターンのうち、ステップＳ５〜ステップＳ７で抽出された各第１環境パターンにおける消費電力及び満足度を含む立体画像１１０を表示する。
【００６１】
次のステップＳ１０において、制御部２は、ステップＳ９にて表示された複数の第１環境パターンのうち何れかの第１環境パターンを選択する。
【００６２】
以上のように、この環境制御システムは、第１環境パターンに含まれる環境パターンとなるよう環境調整部１を制御する。そして、制御部２は、各環境パターンの満足度を抽出し、制御部２は、各環境パターンにおける各種の機器の消費電力を抽出する。そして、表示部８は、各環境パターンごとに満足度と消費電力とを対応づけて表示する。これにより、利用者は、操作部３を操作して、第１環境パターンのうち、好みの環境パターンを選択できる。
【００６３】
また、この環境制御システムによれば、環境パターンごとに満足度に加えて消費電力も表示するので、標準的な第１環境パターンのうちの環境パターンを実際に利用者に体感させ、低消費電力も考慮して、環境を選択させることができる。
【００６４】
さらに、この環境制御システムによれば、図１０や図１１に示したように、視覚的に分かりやすく環境パターンごとに満足度及び消費電力を描写し、利用者が満足する環境を複数挙げることができる。
【００６５】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００６６】
１  環境調整部（環境調整手段）
２  制御部（シーン判断手段、満足度抽出手段、電力抽出手段）
３  操作部（選択手段、属性入力手段）
４  動きセンサ（動作抽出手段）
５  環境抽出部
６  行動−環境データベース（第１記憶手段）
７  属性−環境データベース（第２記憶手段）
８  表示部（表示手段）
４１  カメラ（動作抽出手段）
【図１】
2014182583.tif 000003
【図２】
2014182583.tif 000004
【図３】
2014182583.tif 000005
【図４】
2014182583.tif 000006
【図５】
2014182583.tif 000007
【図６】
2014182583.tif 000008
【図７】
2014182583.tif 000009
【図８】
2014182583.tif 000010
【図９】
2014182583.tif 000011
【図１０】
2014182583.tif 000012
【図１１】
2014182583.tif 000013
【図１２】
2014182583.tif 000014